(57)【要約】【課題】浴室ユニットのリフォームに際し、既設窓サッシを生かしながら、その窓の古くなった框部分を隠蔽し、更に浴室側から見た印象を向上させた浴室ユニットの窓構造を提供する。【解決手段】建物の躯体に形成された躯体開口部に設けられ框部を有する窓サッシと、上記躯体内に設置される浴室ユニットの壁パネルに形成された浴室開口部と、該浴室開口部と前記窓サッシとの間に設けられる接続枠とを備えた浴室ユニットの窓構造において、上記躯体開口部の周縁から上記窓サッシ閉時における召合せを除く上記框部の見付けを越えた先端部まで内方へ延出する鍔部と、上記鍔部の上記浴室側の上記先端部から所定幅の見付け部を残した位置に設けられ、上記接続枠の上記窓サッシ側端部が取設される取設部とを有する化粧枠を備える。 【選択図】  図２
2007255170.tif 000002
【特許請求の範囲】
【請求項１】
建物の躯体に形成された躯体開口部に設けられ框部を有する窓サッシと、上記躯体内に設置される浴室ユニットの壁パネルに形成された浴室開口部と、該浴室開口部と前記窓サッシとの間に設けられる接続枠とを備えた浴室ユニットの窓構造において、上記躯体開口部の周縁から上記窓サッシ閉時における召合せを除く上記框部の見付けを越えた先端部まで内方へ延出する鍔部と、上記鍔部の上記浴室側の上記先端部から所定幅の見付け部を残した位置に設けられ、上記接続枠の上記窓サッシ側端部が取設される取設部とを有する化粧枠を備えることを特徴とする浴室ユニットの窓構造。
【発明の詳細な説明】
【技術分野】
【０００１】
本発明は、浴室ユニットの窓構造に係り、特に、リフォームされた浴室ユニットの窓構造に関する。
【背景技術】
【０００２】
戸建て住宅に設置される浴室ユニットでは、通常、入浴者に圧迫感を与えないように、また、使用後に換気ができるように窓が設けられる。この窓は、建物の躯体に設けられる窓サッシと、この躯体内に設置される浴室ユニットの壁パネルに形成された窓用開口部とを、接続枠で接続し、躯体と浴室との間の空間を掩蔽して形成される。
【０００３】
この接続枠は、新築の場合、浴室ユニット以外の通常部分の窓における額縁同様、サッシ枠の内法と略同じサイズの枠体に形成される。ところが、建物の躯体は残したまま浴室ユニットのみリフォームする場合、これでは、浴室内から、従来の窓サッシの框部分が見え、リニューアルされた浴室とマッチせず、違和感を与える。
【０００４】
この問題を解決するものとして、サッシ枠に取り付けられた接続枠をクランク状に框部分内側まで狭窄した後窓用開口に接続することにより、框部分が浴室側から見えないようにした浴室ユニットの窓構造がある（例えば、特許文献１参照。）。
【特許文献１】特開２００１−１６４７７２号公報（図２）
【発明の開示】
【発明が解決しようとする課題】
【０００５】
しかしながら、この構造では、接続枠の対向する面同士が必要以上に接近して、大きな開口から得られる開放感が減殺される、接続枠の狭窄された部分と框部分との関わりがすっきりしない等の問題がある。
【０００６】
本発明は、上述した事情を考慮してなされたもので、浴室ユニットのリフォームに際し、既設窓サッシを生かしながら、その窓の古くなった框部分を隠蔽し、更に浴室側から見た印象を向上させた浴室ユニットの窓構造を提供することを目的とするものである。
【課題を解決するための手段】
【０００７】
本発明に係る浴室ユニットの窓構造は、上述した課題を解決するために、請求項１に記載したように、建物の躯体に形成された躯体開口部に設けられ框部を有する窓サッシと、上記躯体内に設置される浴室ユニットの壁パネルに形成された浴室開口部と、該浴室開口部と前記窓サッシとの間に設けられる接続枠とを備えた浴室ユニットの窓構造において、上記躯体開口部の周縁から上記窓サッシ閉時における召合せを除く上記框部の見付けを越えた先端部まで内方へ延出する鍔部と、上記鍔部の上記浴室側の上記先端部から所定幅の見付け部を残した位置に設けられ、上記接続枠の上記窓サッシ側端部が取設される取設部とを有する化粧枠を備えるものである。
【発明の効果】
【０００８】
本発明に係る浴室ユニットの窓構造によれば、浴室ユニットのリフォームに際し、既設窓サッシを生かしながら、その窓の古くなった框部分を隠蔽し、更に浴室側から見た印象を向上させることができる。
【発明を実施するための最良の形態】
【０００９】
本発明に係る浴室ユニットの窓構造の実施の形態について、添付図面を参照して説明する。図１は、本実施形態に係る浴室ユニットの窓構造１の主要構成材の分解斜視図、図２は同横断面図、図３は同縦断面図である。この実施形態に示された浴室ユニットの窓構造１は、主要構成材として、窓サッシ１０、接続枠２０及び化粧枠３０を備える。
【００１０】
窓サッシ１０は、建物の躯体を形成する柱２，２、窓台３及びまぐさ４により画成された躯体開口部ＯＰ１に固設された窓枠１１に窓パネル１２を取り付けて成る。本実施形態では、木造住宅を例にとったが、これはコンクリート造でも鉄骨造であってもよい。
【００１１】
窓パネル１２は、上框１３ａ、横框１３ｂ及び下框１３ｃから成り四周の枠を形成する框１３内に、ガラス１４が納められている。また、２枚の窓パネル１２，１２が互いに出合う部分が召し合わせ部１３ｅとなる。本実施形態では、アルミサッシを例にとったが、これは木製サッシや鋼製サッシであってもよい。
【００１２】
接続枠２０は、合成樹脂等を押出し成形により製作された上枠２０ａ、横枠２０ｂ，２０ｂ及び下枠２０ｃを枠体に組み合わせたものであり、枠の一方の端部２０ｅは、浴室の壁面を構成する壁パネル５に設けられた浴室開口部ＯＰ２周りの壁パネル５にビス止めされ、他方の端部２０ｆは、後述する化粧枠３０を介して窓サッシ１０に接続される。これにより、躯体と浴室との間の空間が掩蔽されるとともに、浴室内で使用した水がこの空間内に浸入することを防止する。
【００１３】
化粧枠３０は、アルミ材を押出し成形により製作された上枠３０ａ、横枠３０ｂ，３０ｂ及び下枠３０ｃを枠体に組み合わせたものであり、躯体開口部ＯＰ１に納められる。
【００１４】
化粧枠３０の断面は、略Ｌ字型に形成され、その一辺は柱２、窓台３及びまぐさ４に取り付けられる取付部３０ｅであり、他の一辺は、その背面が框１３に対向する鍔部３０ｆである。
【００１５】
鍔部３０ｆの浴室に面する側の幅方向略中央には、２本の突条３０ｇ，３０ｈが突設され、両者の間に接続枠２０の窓サッシ１０側の端部２０ｆが嵌挿されて、固定される。したがって、本実施形態における２本の突条３０ｇ，３０ｈは、本発明に係る取設部を構成する。
【００１６】
２本の突条３０ｇ，３０ｈは、図２に示すように、鍔部３０ｆの先端から、略Ｗ２だけ取付部３０ｅ側へシフトして、突条３０ｇと鍔部３０ｆ先端との間に見付け部３０ｄを残している。これにより、従来の構造が、接続枠を框先端近傍まで室内側に迫り出して、窓の有効幅を略框内法幅Ｗ３としているのに比べ、それよりも見付け部３０ｄの幅（見付け幅）Ｗ２の２倍分広い、窓有効幅Ｗ１を得ることができるので、窓サッシ１０の有効幅に近づき、開口をより有効利用でき、入浴者に開放感を与えることができる。
【００１７】
また、鍔部３０ｆにより、古い既設の窓サッシ１０の框１３が浴室内からは見えなくなり、美観を損ねない。さらに、化粧枠３０は、アルミ製なので、浴室内から見える見付け部３０ｄ及び突条３０ｇ側面が恰もアルミサッシの一部であるかのように見え、違和感を与えることもない。このようなことは、図３に示す高さ方向についても言えることである。
【００１８】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００１９】
【図１】本発明に係る浴室ユニットの窓構造の主要構成材の分解斜視図図。
【図２】本実施形態に係るる浴室ユニットの窓構造の横断面図。
【図３】本実施形態に係るる浴室ユニットの窓構造の縦断面図。
【符号の説明】
【００２０】
１  浴室ユニットの窓構造
２  柱
３  窓台
４  まぐさ
５  壁パネル
１０  窓サッシ
１１  窓枠
１２  窓パネル
１３  框
１４  ガラス
２０  接続枠
３０  化粧枠
３０ａ  上枠
３０ｂ  横枠
３０ｃ  下枠
３０ｄ  見付け部
３０ｅ  取付部
３０ｆ  鍔部
３０ｇ，３０ｈ  突条
Ｈ１  窓有効高さ
Ｈ２，Ｈ３  見付け高さ
Ｈ４  框内法高さ
ＯＰ１  躯体開口部
ＯＰ２  浴室開口部
Ｗ１  窓有効開口
Ｗ２  見付け幅
Ｗ３  框内法幅
【図１】
2007255170.tif 000003
【図２】
2007255170.tif 000004
【図３】
2007255170.tif 000005